【誤訳訂正書】
【提出日】平成29年3月13日(2017.3.13)
【誤訳訂正１】
【訂正対象書類名】明細書
【訂正対象項目名】全文
【訂正方法】変更
【訂正の内容】
【発明の詳細な説明】
【発明の名称】コンタクトピン、コンタクトピンを含むコネクタ、及びコンタクトピンの製造方法
【技術分野】
【０００１】
本発明は、第１の端部と第２の端部及びこれら端部間に位置する屈曲部を備えるコンタクトピンであって、少なくとも一方の端部の断面が、好ましい屈曲方向及び少なくとも１つの屈曲抵抗方向を有し、前記少なくとも一方の端部の断面二次モーメントが、前記屈曲抵抗方向よりも前記好ましい屈曲方向において小さいコンタクトピンに関する。また、本発明は、この種のコンタクトピンを備えるコネクタに関する。更に、本発明は、かかるコンタクトピンの製造方法に関する。
【背景技術】
【０００２】
コンタクトピンは、電気機器及び電子機器の多くの分野において使用される。通常、これらの分野では、多角形、大抵の場合は略矩形の断面を有するコンタクトピンが用いられている。多くの用途において、これらのコンタクトピンは、２つの端部間に位置する屈曲部において屈曲されるはずである。コンタクトピンの長手方向延在線に垂直であり且つコンタクトピンの長手方向延在線に垂直な好ましい屈曲軸に垂直な好ましい屈曲方向において、屈曲は比較的容易である。コンタクトピンの長手方向延在線に垂直であり且つコンタクトピンの長手方向延在線に垂直な屈曲抵抗軸に垂直な少なくとも１つの屈曲抵抗方向に沿って、屈曲は更に難しくなる。コンタクトピンの屈曲が屈曲方向に沿ってどの程度困難又は容易であるかの尺度が、屈曲方向又は屈曲軸各々における、断面二次モーメント、特に軸周りの断面二次モーメントである。屈曲軸に関する断面二次モーメントは、断面積に関して積分された屈曲軸までの点の距離の二乗に関する積分として定義される。屈曲軸に垂直且つコンタクトピンの長手方向延在線に垂直な屈曲軸又は屈曲方向に関する断面二次モーメントが高ければ、この軸周り又はこの方向への屈曲が困難である。
【０００３】
コンタクトピンは、相補的な形状のピンソケットに挿入され、次に、縁上で屈曲される場合が多い。しかしながら、製造誤差のため、コンタクトピンとソケットは、大抵の場合、ぴったりと嵌合することはないので、コンタクトピンは、ソケットに受容されて係止される際にその長手軸を中心にねじれる。後続の段階において、コンタクトピンに屈曲力が加えられると、この力は、好ましい屈曲方向には働かずに他の方向に働く。コンタクトピンは、屈曲される際、好ましい屈曲方向に向かって撓むので、コンタクトピンは屈曲力の方向に沿って屈曲されずに、異なる方向に屈曲される。従って、コンタクトピンの方向は、更なる工程において矯正されなければならず、製造費用の上昇につながる。
【発明の概要】
【発明が解決しようとする課題】
【０００４】
本発明が扱う課題は、更なる矯正工程のような処理を必要としないコンタクトピンを提供することである。
【課題を解決するための手段】
【０００５】
これは、本発明によれば、屈曲部の断面における好ましい屈曲方向における断面二次モーメントと屈曲抵抗方向における断面二次モーメントとの差が、少なくとも一方の端部における断面二次モーメントよりも小さいコンタクトピンによって達成される。本発明に係る課題解決手段により、屈曲部が屈曲される際に、コンタクトピンは、より良好に且つより正確に屈曲力に追従する。これにより、屈曲加工後にコンタクトピンを整合するための更なる矯正工程を回避することができる。
【０００６】
本発明に係る課題解決手段は、以下の発展形態に従って向上させることができ、その発展形態は各々が有利であり、自由に組み合わせることができる。
【０００７】
前記屈曲部は、前記少なくとも一方の端部と比較して異なるように構成することができる。前記屈曲部は、異なる断面、即ち、異なる断面形状や異なる断面積を有することができる。
【０００８】
前記好ましい屈曲方向は、最小の断面二次モーメントを有する断面平面に沿った方向とすることができる。
【０００９】
前記屈曲抵抗方向は、最大の断面二次モーメントを有する断面平面に沿った方向とすることができる。
【００１０】
前記少なくとも一方の端部は、２つ以上の屈曲抵抗方向を有することができる。例えば、矩形の断面を有する端部は、４つの屈曲抵抗方向を有することができ、これら４つの屈曲抵抗方向は、各々、矩形の中心から角へと延在する。異なる屈曲抵抗方向に沿う屈曲に対する関連する断面二次モーメントの値は、等しくてもよいし又は異なっていてもよい。特に、屈曲部の断面において、断面二次モーメントが最も大きい場合の好適な屈曲方向における断面二次モーメントと屈曲抵抗方向における断面二次モーメントとの差は、前記少なくとも一端における断面二次モーメントよりも小さい。
【００１１】
好適な一実施形態では、前記コンタクトピンの長手方向延在線を横切る方向における前記屈曲部の断面二次モーメントは一定である。前記コンタクトピンの長手方向延在線は、真っ直ぐなコンタクトピン又は屈曲したコンタクトピンの場合、長手軸とすることができる。
【００１２】
他の一実施形態では、一端部の長手方向延在線を横切る前記屈曲部における断面二次モーメントは一定である。いずれの場合も、複数の屈曲抵抗方向が存在する場合、断面二次モーメントは、屈曲抵抗方向間の領域におけるコンタクトピンの長手方向延在線を横切る方向において一定であれば十分である。
【００１３】
前記屈曲部の断面は円形とすることができる。かかる一実施形態では、前記屈曲部は、任意の方向に屈曲することができる。従って、前記好ましい屈曲方向は、前記長手方向延在線に垂直に延在する全ての方向を含むことができる。前記好ましい屈曲方向と前記屈曲抵抗方向の断面二次モーメントの差を、ゼロ又はほぼゼロとすることができる。前記好ましい屈曲方向は、前記屈曲抵抗方向と一致することができる。前記断面が円形の実施形態の場合、前記屈曲力に正確に追従することができる。従って、前記コンタクトピンの方向の矯正は完全に不要になる。
【００１４】
前記コンタクトピンの前記屈曲部の断面は、部分的に曲線状になっているだけでも十分である。例えば、前記屈曲部は、長手方向の一側面にのみ屈曲されてもよい。或いは、又はそれに加えて、前記断面は、少なくとも部分的に、弓形、例えば、半円形の輪郭を有することができる。この輪郭の他の部分には角を有することができ、或いは、弓形が直線によって閉じられることができる。或いは、又はそれに加えて、前記屈曲部の断面は、輪郭が曲線状になった領域を有することができる。これらの曲線部分は、弓形のように延在する必要はなく、その他の形状を有することもできる。例えば、これらの曲線部分は、部分的に楕円形、放物線状とすることができ、或いは、多項式関数の曲線に沿って延在することができる。前記屈曲部の断面は、凸状の外輪郭を有することができ、つまり、２点間の領域において、中心までの距離がこれら２点の箇所よりも遠い。
【００１５】
前記少なくとも１つの端部は、多角形の断面を有することができる。例えば、前記端部は、矩形の断面、好ましくは正方形の断面を有することができる。特に、前記端部は、略正方形であるが角が丸くなった断面を有することができる。前記断面は、部分的にのみ多角形とすることもできる。このようにして、一つの側面が角を有し、他の一側面を曲線状にすることができる。
【００１６】
前記少なくとも一方の端部と前記屈曲部との間には、前記端部の断面が前記屈曲部の断面と連結する連結部を設けることができる。この連結部には段差を設けることができる。或いは、前記端部と前記屈曲部との間の連結は滑らかにすることができ、即ち、この連結部は段差や縁を有しなくてもよい。
【００１７】
好適な一実施形態では、前記屈曲部の断面における前記好ましい屈曲方向の断面二次モーメントと前記屈曲抵抗方向の断面二次モーメントとの差は、前記２つの端部における断面二次モーメントよりも小さい。前記第２の端部は、前記第１の端部と同じ好ましい断面を有することができる。特に、前記第２の端部は、前記第１の端部と同じ断面を有することができる。従って、前記第２の端部は、同一の断面形状、同一の大きさや同一の面積を有することができる。特に、前記第２の端部の断面は、少なくとも非屈曲状態において、前記第１の端部の断面と整列している。例えば、両端部が正方形の端面を有する場合、これら２つの正方形は、前記コンタクトピンの長手方向延在線に沿って見ると、非屈曲状態において一致するように重なり合うことができる。しかしながら、屈曲状態では、２つの正方形は互いに対して捻じられることができる。或いは、同一の断面積を有する同一の形状を有する断面同士を異なるように配向することができる。例えば、両端部は、これらの２つの端部における正方形の角が異なる方向を指すように、正方形の断面を有することができる。
【００１８】
前記屈曲部は、断面の再形成によって生成することができる。例えば、既存の屈曲部は、前記コンタクトピンが本発明に係るコンタクトピンとなるように、再形成することができる。或いは、前記屈曲部は、前記断面の再形成のみによって初めから生成することができ、例えば、初めは屈曲部ではなかった他の部分を屈曲部に再形成することができる。このように、第１及び第２の端部を有するコンタクトピンは、前記第１の部分や前記第２の部分の一部が屈曲部に再形成されるという点で、本発明に係るコンタクトピンに再形成されることができる。これは、断面の再形成によって可能である。好適な一実施形態では、前記第１又は第２の端部の一部が、曲線状の断面、好ましくは円形の断面に再形成されるという点で、各々が多角形の断面を有する２つの端部を有するコンタクトピンは、本発明に係るコンタクトピンに再形成される。
【００１９】
断面の再形成は、例えば、圧縮によって可能である。断面の再形成としては、特に、冷間成形加工が可能である。冷間成形加工では、温度を上昇させることなく圧力を加えることによって単純に断面を再形成することができる。これは、例えば、加工後の断面を予め決定するダイ又は成形金型を用いて行うことができる。既定の成形金型を用いずに自由に再形成することも可能である。長手方向又は横方向への圧延による再形成も可能である。いずれにしても、前記コンタクトピンの長さは、再形成加工の結果として変化する可能性があり、特に、前記コンタクトピンは、結果的に長くなる可能性がある。前記屈曲部における断面積は、再形成加工の結果として変化する可能性があり、特に、その断面は小さくなる可能性がある。断面の形状のみを変え、断面積を変化させない再形成も可能である。この場合、前記コンタクトピンは長くならない。
【００２０】
好適な一実施形態では、コンタクトピンは、再形成加工前に、各々が同じ断面形状及び面積を有する第１及び第２の端部を有する。
【００２１】
前記屈曲部の再形成の際に、端部を同時に再形成することもできる。特に、少なくとも一方の端部を、少なくとも部分的に屈曲部に再形成することができる。再形成された端部の長さは、結果的に変化する可能性がある。
【００２２】
コンタクトピンは、複数の屈曲部、特に本発明に係る複数の屈曲部を有することができる。
【００２３】
コンタクトピンは、更なる機能的部分を有することができる。例えば、前記端部と前記屈曲部間には連結部を設けることができる。
【００２４】
本発明に係るコンタクトピンは、前記屈曲部において屈曲することができる。このようにして、前記２つの端部は、異なる方向に延在することができる。前記２つの端部は、特に、一点において交差することができる。本発明に係るコンタクトピンは、コネクタ内に配置することができる。特に、前記第１の端部は、相補的な断面形状を有するピンソケットに最終的に挿入されることができる。前記第１の端部は、前記ソケット内に完全に又は部分的にのみ配置されることができる。挿入された端部の長手方向延在線に垂直にしかポジティブロックが掛かることがないので、前記コンタクトピンは、挿入された端部の長手方向延在線に沿って動かすことができる。
【００２５】
コネクタは、本発明に係る様々なコンタクトピンを有することができる。例えば、各々が少なくとも一方の端部と屈曲部において同一の断面を有するが長さが異なる様々なコンタクトピンを設けることができる。このように、コンタクトピンの端部を、屈曲状態において同一平面に配置することができる。
【００２６】
本発明の有利な実施形態の例を、図面を参照しながら以下に記述する。記述される実施形態は、考え得る実施形態を代表しているに過ぎないが、上述した個々の特徴は互いに独立して組み合わせたり、省略したりすることができる。様々な実施形態における同一の参照番号は、各々、同一物を示す。
【図面の簡単な説明】
【００２７】
【図１Ａ】本発明に係るコンタクトピンの第１の実施形態の概略的な斜視図である。
【図１Ｂ】コンタクトピンの長手方向延在線に垂直な横断平面に沿う図１Ａに示すコンタクトピンの一端部の概略的な断面である。
【図１Ｃ】コンタクトピンの長手方向延在線に垂直な横断平面に沿う図１Ａに示すコンタクトピンの屈曲部の概略的に断面である。
【図２】本発明に係るコンタクトピンの第２の実施形態の概略的な斜視図である。
【図３】ピンソケット内の本発明に係るコンタクトピンの概略的な斜視図である。
【図４】図３に示すコンタクトピン及びピンソケットの概略的な正面図である。
【図５】本発明に係るコンタクトピンの第３の実施形態の概略的な斜視図である。
【図６】図５に示すコンタクトピンの異なる視線からの概略的な斜視図である。
【図７】本発明に係るコネクタの概略的な斜視図である。
【発明を実施するための形態】
【００２８】
図１Ａには本発明に係るコンタクトピンが示されている。コンタクトピン１は、第１の端部１０と、第２の端部２０と、第１の端部１０及び第２の端部２０の間に位置する屈曲部３０とを有する。コンタクトピン１の長手方向延在線Ｚの方向における第１の端部１０の長さＬ１は、第２の端部２０の対応する長さＬ２よりも短い。屈曲部３０の長さＬ３は、２つの端部の長さＬ１，Ｌ２とは無関係である。本実施形態の場合、屈曲部３０の長さＬ３は、長手方向延在線Ｚの方向のコンタクトピン１の全長Ｌの約２０％である。しかしながら、屈曲部３０の長さＬ３は、この値とは異なっていてもよく、各々の意図する目的に適応させることができる。
【００２９】
本実施形態の場合、コンタクトピン１の長さＬは、第１の端部１０、第２の端部２０、及び屈曲部３０の長さＬ１，Ｌ２，Ｌ３から成る。他の実施形態では、２つの端部１０，２０及び屈曲部３０だけでなく更なる部分を設けることができる。特に、更なる屈曲部、例えば、本発明に係る第２の屈曲部を設けることができる。
【００３０】
ここに示す端部１０，２０は、両方とも挿入部１１，２１を有し、端部１０，２０は、ピンソケットへの挿入を容易にするために、挿入部１１，２１において先細りしている。
【００３１】
コンタクトピンの長手方向延在線Ｚに垂直に延在する断面平面Ｔにおける第１の端部１０と第２の端部２０の断面は同一である。この場合、これらの断面の形状、面積、及び向きは同一である。
【００３２】
図１Ｂには、第１及び第２の端部１０，２０のかかる断面が示されている。外輪郭Ｕ１，Ｕ２は略正方形であるが、角３が面取りされている。従って、外輪郭Ｕ１，Ｕ２は、多角形であり、この場合は八角形である。角は丸められてもよい。図示の端部１０，２０は、第１の好ましい屈曲方向Ｖ１及び第２の好ましい屈曲方向Ｖ２を有する。端部１０，２０は、これらの好ましい屈曲方向Ｖ１，Ｖ２に沿って且つこれらの方向とは反対方向に最低限の抵抗で屈曲させることができる。その過程で、屈曲は、好ましい屈曲方向Ｖ１の方向に屈曲軸Ｂ１周りに生じる。この屈曲軸Ｂ１周りの断面二次モーメント、特に軸周りの断面二次モーメントは、好ましい方向Ｖ１から僅かに外れた他の方向よりも小さい。ここに示す例ででは、好ましい屈曲方向Ｖ１は、最小の断面二次モーメントを有する屈曲方向を表す。断面二次モーメントは、慣例通り、屈曲軸からの距離の二乗に関する断面の面積Ａに関する面積分と定義され、屈曲軸は、面積Ａの中心点Ｍを通る。
【００３３】
ここに示す断面の場合、第２の好ましい屈曲方向Ｖ２もあり、この方向に沿えば、屈曲は、好ましい屈曲方向Ｖ１と同様に容易である。
【００３４】
更に、図示の端部１０，２０は屈曲抵抗方向Ｒ１を有し、この方向には屈曲が困難であり、屈曲抵抗方向Ｒ１に関し、屈曲抵抗方向Ｒ１に属する屈曲軸Ｗ１に関する断面二次モーメントは、ここでは増加する。ここに示す端部１０，２０は、複数の屈曲抵抗方向を有し、例えば、第２の屈曲抵抗方向Ｒ２が描かれている。ここに示す対称的な実施形態の場合、第２の屈曲抵抗方向Ｒ２に沿う屈曲に関する断面二次モーメントは、屈曲抵抗方向Ｒ１に沿う屈曲に関する断面二次モーメントに等しい。
【００３５】
屈曲抵抗方向Ｒ１に沿って、即ち、屈曲抵抗方向Ｒ１の方向を指し示す屈曲力Ｆによって端部１０，２０を屈曲しようとすると、僅かなずれであっても、屈曲は、方向Ｒ１に沿って生じずに、実際の屈曲の方向Ｘに沿って生じ、好ましい屈曲方向Ｖ１の方へと向けられる。
【００３６】
図１Ｃには、図１に示すコンタクトピン１の屈曲部３０の断面が示されている。この場合、断面は円形である。屈曲部３０は、この断面平面に位置する全方向に沿って同一の屈曲抵抗を有する、即ち、断面平面における全方向に関する断面二次モーメントが等しい。同時に、全方向が屈曲抵抗方向Ｒ１である。従って、好ましい屈曲方向Ｖ１と屈曲抵抗方向Ｒ１に関する断面二次モーメントの差はゼロである。ここに示す屈曲部３０の円形の実施形態の場合、断面平面における任意の方向の屈曲力Ｆにより、その屈曲方向への屈曲となる。従って、実際の屈曲の方向Ｘは、屈曲力Ｆに一致する。図１Ａ及び図１Ｃに示す円形断面を有する屈曲部３０は、再形成によって他の断面から生成することができる。例えば、端部１０，２０の断面と類似の断面を有する屈曲部３０を、本発明に係る断面に再形成することができる。これは、例えば、圧延又は圧縮によって行うことができる。この再形成処理の結果、コンタクトピン１の長さＬは、再形成処理によっては変化する可能性があり、或いは同じままの可能性もある。従って、特に、図１Ｃに示す屈曲部３０の面積Ａ３は、第１の端部や第２の端部１０，２０の面積Ａと同一である可能性がある。
【００３７】
図２には、本発明に係るコンタクトピン１の第２の実施形態が示されている。このコンタクトピン１も、第１の端部１０と、第２の端部２０と、第１の端部１０及び第２の端部２０の間に位置する屈曲部３０とを有する。ここで示すコンタクトピン１は、屈曲部３０において既に屈曲されている。第１の端部１０の長手方向延在線Ｚ１の方向は、第２の端部２０の長手方向延在線Ｚ２の方向と異なる。長手方向延在線の２つの方向Ｚ１，Ｚ２は、一点で交差し、この例では、約９０°の角度を成す。長手方向延在線の方向Ｚ１，Ｚ２に垂直な平面における第１及び第２の端部１０，２０の断面は、図１Ｂに示す断面に類似している。
【００３８】
屈曲部３０は、湾曲部３１を通る断面が、円形から逸脱している。屈曲部３０と第１の端部１０との間に位置する連結部４０では、断面はまだほぼ円形である。更に、屈曲部３０の中心では、円形からの逸脱が大きくなる。屈曲部３０と第２の端部２０との間に位置する第２の連結部５０でも、断面はほぼ円形である。
【００３９】
ここで示すコンタクトピン１は、真っ直ぐなコンタクトピン１を屈曲することによって製造することができる。例えば、屈曲力Ｆが加えられていてもよい。円形の屈曲部３０であるため、この力Ｆにより、屈曲力Ｆの方向への屈曲となる。従って、実際の屈曲方向Ｘは、屈曲力Ｆの方向と一致する。
【００４０】
図３には、本発明に係るコンタクトピン１がピンソケット６０に挿入された状態で示されている。ピンソケット６０は、例えば、コネクタ７０の一部であり、コネクタ７０は更なるピンソケット６０及び更なるコンタクトピン１を有してもよい。第１の端部１０と第２の端部２０は、この場合も、略正方形の多角形の断面を有するが、縁２が面取りされている。第１の端部と第２の端部２０との間には、湾曲部３１を有する屈曲部３０がある。従って、２つの端部１０，２０は、異なる空間方向に延在している。
【００４１】
コネクタ７０のピンソケット６０は、第２の端部２０に対して相補的な断面を有する。ピンソケット６０の内輪郭６１は、略正方形の断面を有する。
【００４２】
コンタクトピン１は、コネクタの表面に垂直に延在する挿入方向Ｓに沿ってピンソケット６０に挿入することができる。
【００４３】
図示のコンタクトピン１は、本発明に係る真っ直ぐなコンタクトピン１を屈曲することによって製造された。屈曲加工時、コンタクトピン１はピンソケット６０内に配置されていた。コンタクトピンの外輪郭と、相補的な断面を有するピンソケット６０の内輪郭６１の構成となっているが、コンタクトピン１は、第２の端部２０の長手方向延在線Ｚ２の方向を軸に、即ち、回転方向Ｔに、僅かに回転される場合がある。しかしながら、屈曲部３０の断面が円形であるため、ピンソケット６０内の上記回転によって、実際の屈曲方向Ｘが屈曲力Ｆの方向から外れることはない。従って、両方向Ｆ，Ｘは、互いに重なり合う。かかる実施形態の場合は、端部１０の整列を矯正する更なる整列ステージが省略される。
【００４４】
図４には、図３に示すコンタクトピン１とピンソケット６０が正面図にて示されている。
【００４５】
第２の端部２０は、ピンソケット６０にねじれて係止されている。屈曲力Ｆの方向は、好ましい屈曲方向Ｖ１とは異なり、屈曲抵抗方向Ｒ１の方向に成分を有するが、実際の屈曲の方向Ｘは屈曲力Ｆの方向である。これは、屈曲部３０の円形の断面によるものである。屈曲部３０が第２の端部２０と同じ断面を有する場合、理想的に好ましい屈曲方向Ｖ１に位置せず、屈曲抵抗方向Ｒ１に沿って成分を有する屈曲力Ｆによって、実際の屈曲が、屈曲力Ｆの方向とは異なる方向Ｘになる。
【００４６】
図５及び図６には、本発明に係るコンタクトピン１の第３の実施形態が示されている。第１の端部１０と第２の端部２０との間には、この場合も同様に屈曲部３０がある。しかしながら、ここに示す屈曲部３０は、上記に示した例のような円形の断面を有さず、一部が曲線状になった断面を有する。このため、方向Ｆの屈曲力により、屈曲力Ｆの方向とは僅かに異なるだけの方向Ｘに沿う屈曲となる。従って、屈曲力Ｆの方向と実際の屈曲方向Ｘは、屈曲部３０において第１の端部１０と第２の端部２０と同じ断面を有するコンタクトピン１の場合よりも互いに近接しているが、厳密には一致しない。屈曲力Ｆの方向と実際の屈曲方向Ｘは、屈曲したコンタクトピン１の整列を矯正するために更なる矯正工程を必要としない程度に近接させることができる。
【００４７】
屈曲部３０の断面は、内側３２が湾曲している。外側３３には、複数の角を有する。
【００４８】
図６には、同様に図５に示すコンタクトピン１が他の視点から示されている。外側３３の角張った形状と内側３２の曲線形状により、第１の端部１０を第２の端部２０に向かって屈曲することがより容易になる。従って、実際の屈曲の方向Ｘは、屈曲力Ｆの方向に近接している。
【００４９】
図７には、本発明に係るコネクタ７０が示されている。コネクタ７０は、複数のピンソケット６０を含み、これらのピンソケット６０に、本発明に係るコンタクトピン１が挿入されている。本発明に係るコンタクトピン１の形状により、コネクタの外部に延出する第１の端部１０は全て同一の方向Ｚ１を指している。様々なコンタクトピン１の個々の端部１０は、全てのコンタクトピン１が一つの平面内に終端するように、異なる長さを有している。
【誤訳訂正２】
【訂正対象書類名】特許請求の範囲
【訂正対象項目名】全文
【訂正方法】変更
【訂正の内容】
【特許請求の範囲】
【請求項１】
第１及び第２の端部（１０，２０）と、前記端部（１０，２０）同士間に位置する屈曲部（３０）とを有するコンタクトピン（１）であって、少なくとも一方の前記端部（１０，２０）の断面が、好ましい屈曲方向（Ｖ１）及び少なくとも１つの屈曲抵抗方向（Ｒ１）を有し、前記少なくとも一方の端部（１０，２０）の断面二次モーメントが、前記屈曲抵抗方向（Ｒ１）よりも前記好ましい屈曲方向（Ｖ１）の方が小さいコンタクトピン（１）において、
前記屈曲部（３０）の断面における前記好ましい屈曲方向（Ｖ１）における断面二次モーメントと前記屈曲抵抗方向（Ｒ１）における断面二次モーメントとの差が、前記少なくとも一方の端部（１０，２０）における断面二次モーメントよりも小さく、
前記屈曲部（３０）の断面は、屈曲力（Ｆ）が向く側のみが曲線状をなすことを特徴とするコンタクトピン（１）。
【請求項２】
前記屈曲部（３０）における断面二次モーメントは、前記コンタクトピン（１）の長手方向延在線（Ｌ）に垂直な方向に一定であることを特徴とする請求項１に記載のコンタクトピン（１）。
【請求項３】
前記少なくとも一方の端部（１０，２０）は多角形の断面を有することを特徴とする請求項１又は２に記載のコンタクトピン（１）。
【請求項４】
前記２つの端部（１０，２０）は同一の断面を有することを特徴とする請求項１乃至３のいずれか一項に記載のコンタクトピン（１）。
【請求項５】
前記屈曲部（３０）は、断面の再形成によって生成されることを特徴とする請求項１乃至４のいずれか一項に記載のコンタクトピン（１）。
【請求項６】
前記コンタクトピン（１）は、前記屈曲部（３０）において屈曲されることを特徴とする請求項１乃至５のいずれか一項に記載のコンタクトピン（１）。
【請求項７】
請求項１乃至６のいずれか一項に記載のコンタクトピン（１）を有するコネクタ（７０）であって、
前記第１の端部（１０）が、相補的な断面設計を有するピンソケット（６０）に確実に挿入されることを特徴とするコネクタ（７０）。
【請求項８】
第１及び第２の端部（１０，２０）と、前記第１及び第２の端部（１０，２０）間に位置する屈曲部（３０）とを有するコンタクトピン（１）を製造する方法であって、少なくとも一方の前記端部（１０，２０）の断面は、好ましい屈曲方向（Ｖ１）及び少なくとも１つの屈曲抵抗方向（Ｒ１）を有し、前記好ましい屈曲方向（Ｖ１）における前記少なくとも一方の端部（１０，２０）の断面二次モーメントが、前記屈曲抵抗方向（Ｒ１）における断面二次モーメントよりも小さい、コンタクトピン（１）を製造する方法において、
前記好ましい屈曲方向（Ｖ１）における断面二次モーメントと前記屈曲抵抗方向（Ｒ１）における断面二次モーメントとの差が、前記少なくとも一方の端部（１０，２０）における断面二次モーメントよりも小さくなると共に、屈曲力（Ｆ）が向く側のみが曲線状をなす断面に前記屈曲部（３０）を再形成することを特徴とするコンタクトピン（１）を製造する方法。
【請求項９】
前記コンタクトピン（１）は屈曲され、特に前記コンタクトピン（１）は再形成後に屈曲されることを特徴とする請求項８に記載のコンタクトピン（１）を製造する方法。